(57)【要約】【課題】画像処理によって指標を自動的に検出できた場合であっても、レンズ吸着治具の取付位置を適切に決定することができるとともに、予め取付位置を、第一指標の像を結ぶ直線（水平線）から所定の大きさ（数値）と入力し、取付位置特定の作業時間を短縮することができるレンズ吸着治具装着装置に用いられるレンズの位置決め方法およびレンズ吸着治具装着装置を提供すること。【解決手段】前記画像処理して得られた前記指標（４４１，４４２）を結ぶ直線（水平線４５０）から所定間隔の縦方向の位置（＋記号４５０ａ）を特定し、前記指標を結ぶ直線（水平線４５０）からの間隔を数値表示して、その特定された位置（＋記号４５０ａ）にレンズ吸着治具１２０を装着するようにしている。【選択図】          図４Ａ
2006110692.tif 000002
【特許請求の範囲】
【請求項１】
表面に所定の間隔を以て刻設または突設された複数個の指標が形成された眼鏡レンズを保持する位置調整可能の載置台と、前記載置台を前記位置調整可能の範囲で変位させる位置調整手段と、前記載置台により保持された前記眼鏡レンズを撮像する撮像手段と、前記撮像手段によって撮像された前記眼鏡レンズの像に基づいて、前記指標を検出するための画像処理をする画像処理手段と、画像を表示する表示手段と、前記撮像手段によって撮像された前記眼鏡レンズの像および前記画像処理して得られた前記指標の像を前記表示手段に表示させるように制御する表示制御手段と、前記眼鏡レンズの所定部位にレンズ吸着治具を装着する治具装着手段とを備えたレンズ吸着治具装着装置に用いられるレンズの位置決め方法であって、
前記画像処理して得られた前記指標を結ぶ直線から所定間隔の縦方向の位置を特定し、前記指標を結ぶ直線からの間隔を数値表示して、その特定された位置にレンズ吸着治具を装着することを特徴とするレンズの位置決め方法。
【請求項２】
表面に所定の間隔を以て刻設または突設された複数個の指標が形成された眼鏡レンズを保持する位置調整可能の載置台と、前記載置台を前記位置調整可能の範囲で変位させる位置調整手段と、前記載置台により保持された前記眼鏡レンズを撮像する撮像手段と、前記撮像手段によって撮像された前記眼鏡レンズの像に基づいて、前記指標を検出するための画像処理をする画像処理手段と、画像を表示する表示手段と、前記撮像手段によって撮像された前記眼鏡レンズの像および前記画像処理して得られた前記指標の像を前記表示手段に表示させるように制御する表示制御手段と、前記眼鏡レンズの所定部位にレンズ吸着治具を装着する治具装着手段とを備えたレンズ吸着治具装着装置に用いられるレンズの位置決め方法であって、
前記画像処理して得られた前記指標を結ぶ直線から所定間隔の縦方向の位置を数値入力し、入力された位置を特定し、その特定された位置にレンズ吸着治具を装着することを特徴とするレンズの位置決め方法。
【請求項３】
表面に所定の間隔を以て刻設または突設された複数個の指標が形成された眼鏡レンズを保持する位置調整可能の載置台と、前記載置台を前記位置調整可能の範囲で変位させる位置調整手段と、前記載置台により保持された前記眼鏡レンズを撮像する撮像手段と、前記撮像手段によって撮像された前記眼鏡レンズの像に基づいて、前記指標を検出するための画像処理をする画像処理手段と、画像を表示する表示手段と、前記撮像手段によって撮像された前記眼鏡レンズの像および前記画像処理して得られた前記指標の像を前記表示手段に表示させるように制御する表示制御手段と、前記眼鏡レンズの所定部位にレンズ吸着治具を装着する治具装着手段とを備えたレンズ吸着治具装着装置であって、
前記画像処理して得られた前記指標を結ぶ直線から所定間隔の縦方向の位置を特定し、前記指標を結ぶ直線からの間隔を数値表示して、その特定された位置にレンズ吸着治具を装着するように制御することを特徴とするレンズ吸着治具装着装置。
【請求項４】
表面に所定の間隔を以て刻設または突設された複数個の指標が形成された眼鏡レンズを保持する位置調整可能の載置台と、前記載置台を前記位置調整可能の範囲で変位させる位置調整手段と、前記載置台により保持された前記眼鏡レンズを撮像する撮像手段と、前記撮像手段によって撮像された前記眼鏡レンズの像に基づいて、前記指標を検出するための画像処理をする画像処理手段と、画像を表示する表示手段と、前記撮像手段によって撮像された前記眼鏡レンズの像および前記画像処理して得られた前記指標の像を前記表示手段に表示させるように制御する表示制御手段と、前記眼鏡レンズの所定部位にレンズ吸着治具を装着する治具装着手段とを備えたレンズ吸着治具装着装置であって、
前記画像処理して得られた前記指標を結ぶ直線から所定間隔の縦方向の位置を数値入力し、入力された位置を特定し、その特定された位置にレンズ吸着治具を装着するように制御することを特徴とするレンズ吸着治具装着装置。
【発明の詳細な説明】
【技術分野】
【０００１】
本発明は、レンズ吸着治具装着装置に用いられるレンズの位置決め方法およびレンズ吸着治具装着装置に関し、詳細には、特に累進多焦点レンズにレンズ吸着治具を装着する際のレンズの位置決めの改良に関する。
【背景技術】
【０００２】
従来より、未加工の眼鏡レンズは、所定の大きさの略球面切出し形状のものとして提供されており、この未加工の眼鏡レンズは、眼鏡フレームの枠形状に適合する形状となるように縁摺り加工される。
【０００３】
ここで、未加工の眼鏡レンズの縁摺り加工は、縁摺り加工装置によって行われるが、この縁摺り加工装置による加工は、レンズの加工中心を基準として行われるため、加工前にレンズの加工中心を予め求めておき、この加工中心にレンズ吸着カップ（レンズ吸着治具）を取り付けることが行われ、このレンズ吸着治具の装着は、レンズ吸着治具装着装置によって行われる。
【０００４】
ところで、眼鏡レンズには、単焦点レンズ、バイフォーカルレンズ（多焦点レンズ）、累進多焦点レンズなどの種類があり、単焦点レンズの加工中心はレンズの光学中心であり、多焦点レンズや累進多焦点レンズの加工中心は、レンズのアイポイント位置である。
【０００５】
単焦点レンズの光学中心は、レンズメータ等によって比較的容易に求めることができるが、多焦点レンズのアイポイント位置や累進多焦点レンズのアイポイント位置（ＥＰ値）は、未加工レンズに予め形成された適当な指標を基準として規定されている。
【０００６】
例えば、多焦点レンズには近用の小玉が形成されているが、アイポイント位置はこの小玉の輪郭を基準として設定されている。一方、累進多焦点レンズには、多焦点レンズの如き小玉が形成されていないため、このままでは、ひと目で遠用部と近用部とを識別することができない。そこで、累進多焦点レンズには、遠用部と近用部との境界を示す線（第二指標）と遠用部を示す＋等の記号が印刷によってレンズ表面に表示され、この線を基準としてアイポイント位置を探索することができる。
【０００７】
この印刷表示された第二指標は、未加工レンズが型等によって製造される工程で表示されているものではなく、形状が形成された後に付される。
【０００８】
すなわち、未加工の累進多焦点レンズの表面には、形状を形成する工程において、凹または凸の隠しマークと称される２個以上の指標（第一指標）が形成され、第二指標はこれら第一指標に基づいて、形状形成後に印刷される。
【０００９】
第一指標は、例えば、前述した遠用部と近用部との境界線を規定する２つのマークからなるが、このマークの他に、遠用部と近用部との屈折力差等を示す数字などの文字や記号等がさらに付加されている場合もある。
【００１０】
なお、付加的に形成される文字等は、右眼用レンズと左眼用レンズとで配置を異ならせることにより、左右識別用に用いられることもある。もちろん、文字等が付加的に設けられないものであっても、２つのマーク自体を互いに異なるものとすることにより、左右を容易に識別可能とすることもできる。
【００１１】
そして、従来のレンズ吸着治具装着装置は、上述した第一指標および第二指標とが形成された眼鏡レンズを、位置調整可能の載置台に保持させ、撮像手段によってこの眼鏡レンズを撮像し、得られた眼鏡レンズの像を表示手段に表示するとともに、撮像して得られた眼鏡レンズの像に画像処理を施して、上記第一指標や第二指標を検出し、得られた第一指標や第二指標に基づいて、レンズ吸着カップの装着位置（加工位置）を求め、得られた装着位置にレンズ吸着カップを吸着させている（特許文献１，２）。
【特許文献１】特開２０００−１９０５８号公報
【特許文献２】特開２００２−２６０８３号公報
【発明の開示】
【発明が解決しようとする課題】
【００１２】
ところで、第二指標は印刷表示されているだけであるため、取扱い中にレンズ表面に不用意に触れたりすることにより、部分的に消えてしまうことがあり、一方、第一指標はレンズ表面に刻設または突設されているため、レンズの縁摺り加工後も残るものの、眼鏡レンズとしての性能に影響を及ぼしたり、眼鏡装用者に不快な違和感を与える虞がないように、第一指標の陥凹深さや突出高さは、極めて小さく設定されており、これらの指標の一部あるいは全部を画像処理によって適切に検出できない場合がある。
【００１３】
そして、画像処理によって指標を適切に検出できないときは、レンズ吸着カップの取付位置を適切に設定することができない。
【００１４】
本発明は上記事情に鑑みなされたものであり、画像処理によって指標を自動的に検出できた場合であっても、レンズ吸着治具の取付位置を適切に決定することができるとともに、予め取付位置を、第一指標の像を結ぶ直線（水平線）から所定の大きさ（数値）と入力し、取付位置特定の作業時間を短縮することができるレンズ吸着治具装着装置に用いられるレンズの位置決め方法およびレンズ吸着治具装着装置を提供することを目的とする。
【課題を解決するための手段】
【００１５】
本発明の請求項１に係るレンズの位置決め方法は、表面に所定の間隔を以て刻設または突設された複数個の指標が形成された眼鏡レンズを保持する位置調整可能の載置台と、前記載置台を前記位置調整可能の範囲で変位させる位置調整手段と、前記載置台により保持された前記眼鏡レンズを撮像する撮像手段と、前記撮像手段によって撮像された前記眼鏡レンズの像に基づいて、前記指標を検出するための画像処理をする画像処理手段と、画像を表示する表示手段と、前記撮像手段によって撮像された前記眼鏡レンズの像および前記画像処理して得られた前記指標の像を前記表示手段に表示させるように制御する表示制御手段と、前記眼鏡レンズの所定部位にレンズ吸着治具を装着する治具装着手段とを備えたレンズ吸着治具装着装置に用いられるレンズの位置決め方法であって、
前記画像処理して得られた前記指標を結ぶ直線から所定間隔の縦方向の位置を特定し、前記指標を結ぶ直線からの間隔を数値表示して、その特定された位置にレンズ吸着治具を装着することを特徴とする。
【００１６】
また、本発明の請求項２に係るレンズの位置決め方法は、表面に所定の間隔を以て刻設または突設された複数個の指標が形成された眼鏡レンズを保持する位置調整可能の載置台と、前記載置台を前記位置調整可能の範囲で変位させる位置調整手段と、前記載置台により保持された前記眼鏡レンズを撮像する撮像手段と、前記撮像手段によって撮像された前記眼鏡レンズの像に基づいて、前記指標を検出するための画像処理をする画像処理手段と、画像を表示する表示手段と、前記撮像手段によって撮像された前記眼鏡レンズの像および前記画像処理して得られた前記指標の像を前記表示手段に表示させるように制御する表示制御手段と、前記眼鏡レンズの所定部位にレンズ吸着治具を装着する治具装着手段とを備えたレンズ吸着治具装着装置に用いられるレンズの位置決め方法であって、
前記画像処理して得られた前記指標を結ぶ直線から所定間隔の縦方向の位置を数値入力し、入力された位置を特定し、その特定された位置にレンズ吸着治具を装着することを特徴とする。
【００１７】
本発明の請求項３に係るレンズ吸着治具装着装置は、表面に所定の間隔を以て刻設または突設された複数個の指標が形成された眼鏡レンズを保持する位置調整可能の載置台と、前記載置台を前記位置調整可能の範囲で変位させる位置調整手段と、前記載置台により保持された前記眼鏡レンズを撮像する撮像手段と、前記撮像手段によって撮像された前記眼鏡レンズの像に基づいて、前記指標を検出するための画像処理をする画像処理手段と、画像を表示する表示手段と、前記撮像手段によって撮像された前記眼鏡レンズの像および前記画像処理して得られた前記指標の像を前記表示手段に表示させるように制御する表示制御手段と、前記眼鏡レンズの所定部位にレンズ吸着治具を装着する治具装着手段とを備えたレンズ吸着治具装着装置であって、
前記画像処理して得られた前記指標を結ぶ直線から所定間隔の縦方向の位置を特定し、前記指標を結ぶ直線からの間隔を数値表示して、その特定された位置にレンズ吸着治具を装着するように制御することを特徴とする。
【００１８】
また、本発明の請求項４に係るレンズ吸着治具装着装置は、表面に所定の間隔を以て刻設または突設された複数個の指標が形成された眼鏡レンズを保持する位置調整可能の載置台と、前記載置台を前記位置調整可能の範囲で変位させる位置調整手段と、前記載置台により保持された前記眼鏡レンズを撮像する撮像手段と、前記撮像手段によって撮像された前記眼鏡レンズの像に基づいて、前記指標を検出するための画像処理をする画像処理手段と、画像を表示する表示手段と、前記撮像手段によって撮像された前記眼鏡レンズの像および前記画像処理して得られた前記指標の像を前記表示手段に表示させるように制御する表示制御手段と、前記眼鏡レンズの所定部位にレンズ吸着治具を装着する治具装着手段とを備えたレンズ吸着治具装着装置であって、
前記画像処理して得られた前記指標を結ぶ直線から所定間隔の縦方向の位置を数値入力し、入力された位置を特定し、その特定された位置にレンズ吸着治具を装着するように制御することを特徴とする。
【発明の効果】
【００１９】
画像処理によって指標を自動的に検出できた場合であっても、レンズ吸着治具の取付位置を適切に決定することができるとともに、予め取付位置を、第一指標の像を結ぶ直線（水平線）から所定の大きさ（数値）と入力し、取付位置特定の作業時間を短縮することができる。
【発明を実施するための最良の形態】
【００２０】
以下、本発明に係るレンズ吸着治具装着装置およびこの装置に用いられるレンズの位置決め方法についての具体的な実施の形態を、図面に用いて説明する。
【００２１】
まず、本実施形態のレンズ吸着治具装着装置１によって、レンズ吸着治具１２０が取り付けられる眼鏡レンズＭＬの詳細について説明する。
【００２２】
まず、この眼鏡レンズＭＬは、縁摺り加工前の未加工レンズであり、その種類としては、単焦点レンズ、バイフォーカルレンズ、累進多焦点レンズがある。そして、単焦点レンズＭＬには、図３８（ａ）に示すように、複数個の印点４１０が印刷によって表示されたものと、同図（ｂ）に示すように、印点４１０が付されていないものがある。
【００２３】
ここで、印点４１０は、レンズ吸着治具１２０を取り付けるレンズＭＬにおける位置（アイポイント位置）Ｐの基準となる指標であり、後述する画像処理手段である演算制御回路１３０によって画像処理されて検出される。
【００２４】
なお、印点４１０の無い単焦点レンズＭＬは、後述するＣＬ測定装置３００によって、屈折特性である球面度数Ｓ、円柱度数Ｃ、円柱軸の軸角度Ａおよび光学中心ＯＣ等が測定されて、アイポイント位置Ｐが求められる。
【００２５】
バイフォーカルレンズＭＬは、図３９に示すように、略半円形状のいわゆる小玉４２０を有し、演算制御回路１３０は、この小玉４２０の輪郭４２１を画像処理して検出するとともに、検出された小玉４２０の輪郭４２１に基づいて、レンズ吸着治具１２０を取り付けるレンズＭＬにおける位置（アイポイント位置）Ｐを検出する。
【００２６】
累進多焦点レンズＭＬは、遠用部４３１と近用部４３２とを有するとともに、遠用部４３１から近用部４３２まで連続的に焦点距離が変化するように形成されており、そのレンズ表面には、図４０に示すように、遠用部４３１と近用部４３２との境界を示す水平線４５０（第二指標）と、この水平線４５０を挟んで遠用部４３１側を示す＋記号が、印刷によってレンズ表面に表示されている。
【００２７】
また、累進多焦点レンズＭＬは、同図に示すように、２つの隠しマーク４４１，４４２（第一指標）が刻設されている。この隠しマーク４４１，４４２は、前述した水平線４５０を規定するマークであるが、このマークの他に、遠用部４３１と近用部４３２との屈折力差等を示す数字などの文字や記号等がさらに付加されている場合もある。
【００２８】
なお、付加的に形成される文字等は、右眼用レンズと左眼用レンズとで配置を異ならせることにより、レンズＭＬの左右識別用に用いられることもある。
【００２９】
そして、演算制御回路１３０は、これら水平線４５０や２つの隠しマーク４４１，４４２を画像処理して検出するとともに、検出された水平線４５０や２つの隠しマーク４４１，４４２に基づいて、累進多焦点レンズＭＬにおける、アイポイント位置Ｐを検出する。
[構成]
図１は、レンズ吸着治具１２０を眼鏡レンズに装着するための本発明の一実施形態に係るレンズ吸着治具装着装置１の外観を示したものである。
【００３０】
このレンズ吸着治具装着装置１は、図８に示したフレーム２と、このフレーム２を覆う外ケース３を有する。
【００３１】
フレーム２は、底板４と、底板４の左右側縁の前後方向中央部に一体に設けられた側板５，５と、底板４の後縁部に一体に設けられた後壁６を有する。４ａは、底板４上に固定されたベース板である。
【００３２】
また、底板４の前側上方には前側に突出するブラケット７が配設されている。このブラケット７は、図９に示したように後縁部が側板５，５に取り付けられた三角形状の側板部８，８と、側板部８，８の前縁部間を連設する連設板部９を有する。
【００３３】
この連設板部９は、上端に向かうにしたがって後方に向かうように傾斜させられている。また、この連設板部９には、操作パネル１０および液晶表示器（表示手段）１１が取り付けられている。
＜操作パネル１０＞
この操作パネル１０には、図２に示すように、液晶表示器１１の右側に配置された操作パネル部１０ａと、液晶表示器１１の下側に配置された操作パネル部１０ｂを有する。
（操作パネル部１０ａ）
この操作パネル部１０ａには、測定を中止する『ストップ』スイッチ１２と、レイアウトデータの入力方式を切り替える『入力切替／メニュー』スイッチ１３と、メモリに記憶されているフレームデータを呼び出す『メモリー』スイッチ１４と、フレームデータを要求する『データ要求』スイッチ１５と、入力設定用の『−＋』スイッチ１６と、カーソル移動用の『▽』スイッチ１７とを有する。
【００３４】
『入力切替／メニュー』スイッチ１３は、所定時間（数秒、例えば２秒）以上押し続けることで、メニュー画面を表示させることができるようになっている。
【００３５】
また、『入力切替／メニュー』スイッチ１３は、ブロック指示（吸着指示）待ちであって、測定後の停止状態において押されると、マニュアル位置合わせや位置設定後の確定を指示するのに用いることができるようになっている。
【００３６】
『メモリー』スイッチ１４は、隠しマーク観察モードのときに押されると、液晶表示器１１の画面を隠しマーク記憶画面に切り替えるようになっている。
【００３７】
『データ要求』スイッチ１５は、レンズ吸着治具装着装置１に接続されるフレーム形状測定装置（図示せず）から玉型形状データ（θｉ，ρｉ）の転送を要求するために用いられる。
【００３８】
『−＋』スイッチ１６は、液晶表示器１１に表示され、かつ表示色が『▽』スイッチ１７により反転表示されている部分の数値データの増減設定に用いられる。また、『−＋』スイッチ１６は、マニュアル位置合わせのときに、液晶表示器１１の表示倍率の切替えを行うためにも用いられる。
【００３９】
『▽』スイッチ１７は、液晶表示器１１に表示されるデータ入力部のカーソル移動に用いられる。ここでいうカーソルは、液晶表示器１１に表示される複数のデータ入力枠（データ入力部）の部分のうち、いずれか１つの表示色が反転させられたり、あるいは他の色に変化させられて、データ入力が可能な状態となっている状態をいう。
（操作パネル部１０ｂ）
この操作パネル部１０ｂには、液晶表示器１１の下縁に沿って配列されたファンクションキーＦ１〜Ｆ６が設けられている。また、操作パネル部１０ｂには、眼鏡レンズの右眼用・左眼用の加工の指定や表示の切替え等を行う『左』スイッチ１８Ｌ、『右』スイッチ１８Ｒが設けられている。
＜ファンクションキーＦ１〜Ｆ６＞
ファンクションキーＦ１〜Ｆ６は、眼鏡レンズＭＬの加工に関する設定時に使用される他、加工工程で液晶表示器１１に表示されたメッセージに対する応答・選択用として用いられる。
【００４０】
加工に関する設定時（レイアウト画面）においては、ファンクションキーＦ１はレンズ種類入力用（店舗用エリア）および累進レンズメーカ指定用として用いられ、ファンクションキーＦ２はレンズ素材入力用として用いられ、ファンクションキーＦ３はフレーム種類入力用として用いられ、ファンクションキーＦ４は面取り加工種類入力用として用いられ、ファンクションキーＦ５は鏡面加工入力用として用いられ、ファンクションキーＦ６はコース（モード）選択用として用いられる。
・ファンクションキーＦ１
このファンクションキーＦ１で入力されるレンズ種類としては、図４に示したように、『単焦点』、『印点』、『累進』、『バイフォーカル』、『隠しマーク』、『自動判別』等がある。また、このファンクションキーＦ１で入力される累進レンズメーカとしては、メーカＭ１，Ｍ２，Ｍ３，・・・・・等がある。
・ファンクションキーＦ２
ファンクションキーＦ２で入力されるレンズ素材としては、図４に示したように、『プラ』、『高プラ』、『ガラス』、『アクリル』、『調光ガラス』等がある。ここで、『プラ』はプラスチックを意味する。
・ファンクションキーＦ３
このファンクションキーＦ３で入力される眼鏡フレームＦの種類しては、図４に示したように、『メタル』、『セル』、『オプチル』、『平』、『溝掘り（細）』、『溝掘り（中）』、『溝掘り（太）』等がある。
【００４１】
なお、『ポイント：前金具』、『ポイント：後金具』、『ポイント：複合金具』等も含めることもできる。
・ファンクションキーＦ４
ファンクションキーＦ４で入力される面取り加工種類としては、図４に示したように、『なし』、『小（前後）』、『中（前後）』、『大（前後）』、『特殊（前後）』、『小（後）』、『中（後）』、『大（後）』、『特殊（後）』等がある。
・ファンクションキーＦ５
ファンクションキーＦ５で入力される鏡面加工としては、図４に示したように、『なし』、『あり』、『面取部鏡面』等がある。
・ファンクションキーＦ６
ファンクションキーＦ６で入力される加工コースとしては、図４に示したように、オート』、『試し』、『モニター』、『枠替え』、『内トレース』等がある。
＜レイアウト画面＞
また、レイアウト画面としては、例えば図５に示したような眼鏡レンズにレンズ吸着治具を吸着するためのレイアウト画面を表示させる『レイアウト・吸着』のモードや、玉型形状情報（θｉ，ρｉ）に隠された眼鏡レンズにレンズ吸着治具を吸着させたときの状態を示す『レイアウト』のモードがある。
【００４２】
そして、『レイアウト』タブＴＢ１を選択した状態のときには、メッセージ表示エリアＥ１、数値表示エリアＥ２、および状態表示エリアＥ３にそれぞれ区画された状態で表示される。
【００４３】
また、図４のレイアウト・吸着の画面において、ファンクションキーＦ１で『累進』を選択すると、数値表示エリアＥ２の『ＡＸＩＳ』の表示が図４Ａのように『ＥＰ』（Ｅｙｅ  Ｐｏｉｎｔ）に変わる。
【００４４】
ここで、数値表示エリアＥ２の『ＥＰ』に対応する表示枠内に入力する内容は、図４Ａの如く『Ａｕｔｏ』と入力する場合と、例えば図４Ｂの如く『＋４．０』と入力する場合がある。
【００４５】
また、外ケース３は、図１および図８に示したように、前壁１９を有する。この前壁１９の上部には、後方に傾斜する傾斜壁部１９ａが形成され、傾斜壁部１９ａには液晶用開口２０が形成されている。そして、この液晶用開口２０には、図１に示したように液晶表示器１１および操作パネル１０が配設されている。さらに、前壁１９の下部にはテーブル出没用開口２１が形成され、前壁１９の上下方向中間部の右よりの部分には吸着盤取付用開口２２が形成されている。
【００４６】
また、図６（ａ）に示したようにフレーム２内には、全体検出光学系１００、隠しマーク検出光学系２００、および屈折特性測定用のＣＬ測定装置３００が配設されている。
＜全体検出光学系１００＞
この全体検出光学系１００は、照明光学系１０１と全体観察光学系１０２とを有する。
【００４７】
照明光学系１０１は、赤外発光ＬＥＤ等の光源１０３，ピンホール板１０４，コリメータレンズ１０５，回転反射板１０６等の光学部材をこの順に有する。この回転反射板１０６は、駆動モータ１０７の回転軸１０７ａに取り付けられていて、駆動モータ１０７により回転駆動されるようになっている。
【００４８】
この駆動モータ１０７は、回転軸１０７ａの軸Ｏ１が照明光学系１０１の光軸Ｏ２に対して傾斜させられている。これにより、鉛直方向に向けられた軸Ｏ１に対して回転反射板１０６の面の向きは所定角度αだけ僅かに傾斜させられている。この所定角度αとしては数度（例えば２°〜４°、好ましくは３°）である。
【００４９】
また、回転反射板１０６は、図６（ｂ）に示したように、金属板または樹脂板等からなる回転円板１０６ａと、回転円板１０６ａの上面に貼り付けられた反射シート１０６ｂとを有する。この反射シート１０６ｂは、非常に微小なコーナキューブ１０８を全面に多数縦横に配列して樹脂で一体に形成したものである。
【００５０】
このような構成とすることにより、コーナキューブ１０８に入射した入射光束１０９は、コーナキューブ１０８内で反射した後、コーナキューブ１０８から出射して入射光束１０９に沿って戻る出射光束１１０となる。なお、このような光学特性を有する反射板は、再帰性反射板等と称されている。
【００５１】
一方、反射シート１０６ｂの表面で反射した正反射光束１１１は、入射光束１０９に対してある角度を以って反射するため、出射光束１１０のように入射光束１０９に沿って戻ることはなく、全体観察や隠しマーク検出に悪影響が生じない（ノイズ光とならない）。
【００５２】
また、全体観察光学系１０２は、コリメータレンズ１０５、ハーフミラー１１２、絞り板１１３、結像レンズ１１４およびＣＣＤ（二次元受光素子、エリアセンサ）１１５等の光学部材をこの順に有する。
＜隠しマーク検出光学系２００＞
この隠しマーク検出光学系２００は、上述した照明光学系１０１と隠しマーク観察光学系２０１とを有する。
【００５３】
また、隠しマーク観察光学系２０１は、コリメータレンズ１０５、ハーフミラー２０２、絞り板２０３および結像レンズ２０４等の光学部材と、撮像手段であるＣＣＤ２０５とが、この順に配置されたものである。
【００５４】
このような全体検出光学系１００と隠しマーク検出光学系２００とのうち、回転反射板１０７以外の光学部材等は、図１０に示した光学部材収納ケース２３内に収納されている。この光学部材収納ケース２３は、図示を省略したブラケットでフレーム２に固定されている。
（全体観察光学系の他の配置例）
なお、全体観察光学系１０２は、図７に示すように構成することもできる。すなわち、図６のハーフミラー１１２を、図７に示したようにハーフミラー２０２と絞り板２０３との間に配設し、ハーフミラー２０２で反射した反射光束をハーフミラー１１２で反射させて、この反射した光束を、絞り板１１３および結像レンズ１１４を介して、ＣＣＤ１１５に導くようにしてもよい。
＜ＣＬ測定装置３００＞
このＣＬ測定装置３００は、フレーム２の奥側（後壁６側）に位置して、ベース板４ａ上に固定されているとともに、図１２に示したブラケット３０１を有する。このブラケット３０１は、上部筐体３０２と下部筐体３０３とを有し、上部筐体３０２には、図６に示した測定光束投影系３０４が配設され、下部筐体３０３内には、図７に示した受光光学系３０５が配設されている。３０６は下部筐体３０３上に固定された円錐筒状のレンズ受けである。
【００５５】
測定光束投影系３０４は、光源３０７、ピンホール板３０８、反射ミラー３０９およびコリメータレンズ３１０等の光学部材が、この順に配置されたものである。また、受光光学系３０５は、パターン板３１１および結像レンズ３１２等の光学部材と、ＣＣＤ３１３とが、この順に配置されたものである。
＜リッド取付構造＞
ベース板４ａの前端部（前壁１９側端部）上には、図１５，１６に示したＬ字状のブラケット２４が固定されている。このブラケット２４の起立板部２４ａには開口２５が形成され、起立板部２４ａの側部にはフランジ２４ｂ，２４ｂが一体に形成されている。
【００５６】
開口２５はリッド２６で閉成されている。このリッド２６の内面の一側下端部側には、図１４，１５に示したヒンジ用のブラケット２７が固定されている。このブラケット２７は、図１５に示したように、後下方に向けて円弧状に湾曲する湾曲部２７ａと、湾曲部２７ａ後部か端からリッド２６側に直線状に延びる直線板部２７ｂと、直線板部２７ｂに対して直角（垂直）に下方に向けて連設されたストッパ板部２７ｃとを有する。
【００５７】
一方、起立板部２４ａの内面の両側部近傍には、図１４に示すように、開口２５より下方に位置させた軸受部材２８，２８が一体的に設けられている。
【００５８】
そして、ブラケット２４は、直線板部２７ｂとストッパ板部２７ｃとの接続コーナ部２７ｄが、支持軸２９を介して軸受部材２８，２８に、回動自在に保持されている。また、ブラケット２７は、支持軸２９に捲回され、かつブラケット２７と起立板部２４ａとの間に介装された撚りコイルバネ３０によって、図１５において反時計回り方向に回動付勢されている。
【００５９】
これにより、リッド２６は、起立板部２４ａの前面に当接して開口２５を閉成している。また、この状態ではリッド２６が、外ケース３のテーブル出没用開口２１を閉成している。
＜レンズ挟持解除用アーム＞
また、ベース板４ａの一側部上には、図１３に示したようにリッド２６に近接させてレンズ挟持解除に用いるアーム３１が固定されている。このアーム３１は、図１１，１４に示したように、起立部３１ａと、起立部３１ａの上端からリッド２６に沿って延びる水平部３１ｂと、水平部３１ｂの先端からリッド２６側に延びる板部３１ｃと、板部３１ｃの先端から下方に延びる係止爪部３１ｄとを有する。
＜レンズ保持手段移動機構＞
また、ベース板４ａ上には、レンズ保持手段移動機構３２が配設されている。このレンズ保持機構３２は、図１３，１５，１６に示したように、ベース板４ａ上の後端部およびアーム３１近傍に位置させた横ガイドレール（Ｘ方向ガイドレール）３３と、横ガイドレール３３上に配設された横移動部材（Ｘ方向移動部材）３４と、横移動部材３４を横ガイドレール３３上に横方向（Ｘ方向）に移動自在に支持しているベアリング３５とを有する。また、横移動部材３４に、上述した駆動モータ１０７が取り付けられている。
【００６０】
また、レンズ保持手段移動機構３２は、図１７に示したように横移動部材３４の両側部上に前後（図１７の紙面と垂直な方向；Ｙ方向）に向けてそれぞれ固定した前後ガイドレール３６と、ガイドレール３６上に配設された板状の前後移動部材（前後移動ステージ、Ｙ方向移動部材）３７と、前後移動部材３７をガイドレール３６に前後移動自在に指示しているベアリング３８とを有する。この横移動部材３４に上述した駆動モータ１０７が取り付けられている。
【００６１】
また、横移動部材３４には、図１３に示したように、ナット部材３９が固定され、ナット部材３９には、軸線を横方向に向けた横送りネジ（Ｘ送りネジ）４０が螺着されている。この横送りネジ４０は、ベース板４ａ上に固定されたパルスモータ（Ｘ駆動モータ）４１で回転駆動させられるようになっている。
【００６２】
一方、前後移動部材３７には、駆動モータ１０７に取り付けられた回転反射板１０６に対向して、円形の光透過孔４２が形成されている。
【００６３】
さらに、前後移動部材３７には、図１５に示したように、ブラケット３７ａおよび固定ネジ３７ｂを介してナット部材４３が固定され、ナット部材４３には、軸線を前後方向に向けた前後送りネジ（Ｙ送りネジ）４４が螺着されている。この前後送りネジ４４は、横移動部材３４上に固定されたパルスモータ（Ｙ駆動モータ）４５で回転駆動させられるようになっている。
＜レンズ保持手段＞
前後移動部材３７の光透過孔４２上には、図１３〜１７に示したように、レンズホルダ（レンズ保持手段）４６が配設されている。
【００６４】
このレンズホルダ４６は、図１６に示すように、内周面の下部に支持フランジ４７ａが設けられたリング状ギヤ４７を有する。このリング状ギヤ４７は、周面に周方向に延びるギヤ部４７ｂおよび環状溝４７ｃを有する。
【００６５】
そして、この環状溝４７ｃには、図１８（ｂ）に示したように、前後移動部材３７上に回転自在に取り付けられた複数のローラ３７Ｒが係合している。この複数のローラ３７Ｒは、光透過孔４２に沿って配設されていて、リング状ギヤ４７を前後移動部材３７に回転自在に保持している。
【００６６】
また、レンズホルダ４６は、リング状ギヤ４７内に嵌合され、かつ支持フランジ４７ａ上に着脱可能に支持されたレンズ支持用の透明円板４８と、透明円板４８上に１２０°間隔で突設された軸状レンズ受４９とを有する。なお、透明円板４８は、ガラスまたはプラスチック等であってもよい。
【００６７】
リング状ギヤ４７上には、図１８（ａ）に示したように、周方向に等ピッチ（６０°間隔）で配設された６つの小ギヤ５０が回転自在に取り付けられ、この６つの小ギヤ５０には、タイミングベルト５１が掛け渡されている。このタイミングベルト５１の外周面には、リング状ギヤ４７に回転自在に取り付けられたテンションローラ５２が当接させられている。
【００６８】
さらに、一つおきの小ギヤ５０には、アーム５３の一端部（基端部）がそれぞれ固定され、各アーム５３の他端部（先端部）上には上下に延びるレンズ保持軸（レンズ保持部材）５４が取り付けられている。
【００６９】
リング状ギヤ４７上には、アーム５３の一端部に近接させてバネ受けピン５５が取り付けられ、このバネ受けピン５５とアーム５３の一端部との間には、コイルスプリング５６が介装されている。このコイルスプリング５６は、アーム５３の先端部がリング状ギヤ４７の中心側に回動するように、アーム５３を回動付勢している。
【００７０】
このような構成の小ギヤ５０やアーム５３の一端部は、図１３，１４に示したように、カバーリング５７で覆われている。カバーリング５７は、ビス５８により、リング状ギヤ４７に固定されている。
【００７１】
また、カバーリング５７の内周面には、レンズ保持軸５４を係合させる係合切欠５９が、周方向１２０°間隔で形成されている。さらに、カバーリング５７の外周面には、切欠６０が形成されている。
【００７２】
また、３つのアーム５３の一つの一端部には、切欠６０から上方に突出する係合突起５３ａが形成されている。
【００７３】
さらに、前後移動部材３７には、パルスモータ等からなる取付角設定モータ６１が固定され、この取付角設定モータ６１の出力軸６１ａには、ギヤ６２が取り付けられている。このギヤ６２は、リング状ギヤ４７のギヤ部４７ｂに噛合させられている。したがって、取付角設定モータ６１によりギヤ６２を回転駆動することにより、リング状ギヤ４７が回転させられることになる。
【００７４】
なお、前後移動部材３７は、レンズホルダ４６の部分を除いてステージカバーＳＣでカバーされている。
＜枠替え用レンズホルダ＞
また、上述した軸状レンズ受４９を有するレンズ支持用の透明円板４８に代えて、図１９に示した枠替えレンズホルダ６３を、図２０に示すように、リング状ギヤ４７内に着脱可能に取り付けることもできる。
【００７５】
この枠替えレンズホルダ６３は、透明円板４８の外径と同じ外径のリング状枠６４と、リング状枠６４内に固定された透明円板６４ａと、リング状枠６４上に等ピッチ（１２０°間隔）で突設された３つ（複数）の支持軸６５と、一端部（基端部）が支持軸６５に回動自在に取り付けられたレンズ保持アーム（レンズ保持部材）６６と、レンズ保持アーム６６の他端部（先端部）をリング状枠６４の中心側に回動付勢しているコイルバネ６７とを有する。なお、レンズ保持アーム６６は、先端に向かうにしたがって先細り形状に形成されている。
【００７６】
このようなリング状枠６４は、上述した透明円板６４ａよりも肉厚に形成されていて、上述したアーム５３のレンズ保持軸５４を、図２０に示すように、リング状ギヤ４７上に対比させた状態で、リング状ギヤ４７内に着脱自在に嵌合させられる。これにより、レンズ保持軸５４は、リング状枠６４の外周面に当たって、リング状枠６４内に移動することはない。この際も、リング状枠６４は図１６のリング状ギヤ４７のフランジ４７ａ上に支持される。
【００７７】
なお、６４ｂは、枠替え用のリング状枠６４に設けられた透孔であって、枠替えレンズホルダ６３の検出に用いられる。
＜レンズ吸着機構＞
フレーム２の側板５には、図１０，１１に示したように、レンズ吸着機構６８が装着されている。
【００７８】
このレンズ吸着機構６８は、図１０，２１，２３，２４に示したようなブラケット６９を有する。このブラケット６９は、上支持板部６９ａと、下支持板部６９ｂと、支持板部６９ａ，６９ｂを連設している縦板部６９ｃとにより、全体として略コ字状に形成されている。
【００７９】
また、縦板部６９ｃの一側の上下部には、取付片６９ｄ，６９ｄが一体的、かつ直角に設けられている。この取付片６９ｄ，６９ｄを、図１０，１１のフレーム２に設けた側板５に、図示しないビスで取り付けることにより、ブラケット６９は、縦板部６９ｃを側板５に直角にした状態で取り付けられている。
【００８０】
また、レンズ吸着機構６８は、縦板部６９ｃの正面の下部に前側に向けて取り付けられた固定アーム７０と、上下支持板部６９ａ，６９ｂに上下端部を、図示しないビス等の固定手段で固定したカム筒７１と、図２２に示したカム筒７１内に回転自在、かつ昇降自在（上下動自在）に嵌合された雌ねじ筒７２とを有する。なお、雌ねじ筒７２の下端部は、下支持板部６９ｂを貫通して、下方に突出している。
【００８１】
また、カム筒７１には、図１０，２１，２２に示したように、上下に延びるカムスリット（ガイドスリット）７３が形成されている。このカムスリット７３は、図１８に示した上縦スリット部７３ａと、この上縦スリット部７３ａの下端から螺旋状に９０°捩れつつ、下方に向けて形成された螺旋状スリット部７３ｂと、この螺旋状スリット部７３ｂの下端からカム筒７１の下部まで直線状に長く形成された下縦スリット部７３ｃとを有する。
【００８２】
そして、雌ねじ筒７２の外周面の上端部近傍には、図２２に示したように、ガイドローラ７４が回転自在に保持され、このガイドローラ７４がカムスリット７３内に配設されている。
【００８３】
また、雌ねじ筒７２には、上支持板部６９ａを貫通して下支持板部６９ｂ側まで延びる雄ねじ軸（螺軸）７５が回転自在に螺着されている。この雄ねじ軸７５は、上支持板部６９ａに回転自在かつ軸線方向（上下方向）に移動不能に保持されている。
【００８４】
そして、雄ねじ軸７５の上端部には、プーリ７６が固定されている。また、上支持板部６９ａの下面には、駆動モータ７７が取り付けられている。この駆動モータ７７の出力軸７７ａは、上支持板部６９ａを貫通して上方に突出しており、この出力軸７７ａには、プーリ７８が固定されている。プーリ７６，７８には、タイミングベルト７９が掛け渡されている。
【００８５】
さらに、雄ねじ筒７５の下端部には、水平に延びる可動アーム８０が固定されている。この可動アーム８０は、ガイドローラ７４がカムスリット７３の上縦スリット部７４ａ内にあるときには、正面を向くようになっているとともに、ガイドローラ７４がカムスリット７３の下縦スリット部７４ｃ内にあるときには、横方向（Ｘ方向）で、かつ図６の左方を向くようになっている。
【００８６】
この可動アーム８０の先端部には、図２１，２３，２４に示したように、可動アーム８０の延びる方向と直交し、かつ水平に延びる支持軸８１を介して、可動ブラケット（可動部材）８２が回動自在に保持されている。
【００８７】
この可動ブラケット８２と可動アーム８０との間には、図２５〜２９に示すように、支持軸８１に捲回した捩りコイルバネ８３が介装されている。この捩りコイルバネ８３は、可動ブラケット８２を、図２３に示すように、可動アーム８０の先端部下面側に折り畳む方向に回動付勢している。
【００８８】
また、可動ブラケット８２の基端部側面には、ローラ８４が回転自在に保持されている。このローラ８４は、可動アーム８０が正面を向いた状態で上昇させられたときに、固定アーム７０の下端に設けた水平板部（ストッパ板部）７０ａに当接して、可動ブラケット８２を、捩りコイルバネ８３のバネ力に抗して、図２１に示すように、垂直な状態まで回動させるようになっている。
（吸着治具保持手段）
さらに、この可動ブラケット８２には吸着治具保持手段８５が装着されている。
【００８９】
この吸着治具保持手段８５は、図２７（ａ），２９に示したように、筒部８６ａがブラケット８２の貫通孔８２ａに挿通されたホルダ本体８６と、ホルダ本体８６のフランジ８６ｂを可動ブラケット８２の対向片８２ｂ，８２ｂに固定しているビス８７，８７とを有する。このホルダ本体８６には、貫通孔８２ａから突出する筒部８６ａが設けられ、筒部８６ａの外周には、外筒８８が長手方向に移動可能に嵌合されている。
【００９０】
この外筒８８には、１８０°間隔で図２７（ｂ），（ｃ）に示したようなスリット８８ａが形成され、各スリット８８ａには、一端部がホルダ本体８６に保持された線状バネ８９，８９の他端の折曲部８９ａ，８９ａが配設されている。この折曲部８９ａには、周面の一部を図２７（ｂ），（ｃ）に示したように、スリット８８ａから外筒８８内に突出させた直線部８９ｂが設けられている。
【００９１】
また、ホルダ本体８６と外筒８８との間には、コイルスプリング９０が介装されていて、外筒８８をホルダ本体８６を、図２７（ａ）の左方にバネ付勢している。このホルダ本体８６の筒部８６ａ内には、一端部が筒部８６ａの端壁８６ｃに固定されたバネ支持軸９１が、同心に配設されている。
【００９２】
また、筒部８６ａ内には、有底筒状のスライド筒体９２が、軸線方向に移動自在に嵌合され、スライド筒体９２内でバネ支持軸９１が遊びを有する状態で挿入されている。
【００９３】
このスライド筒体９２内には、コイルスプリング９３の一端部側が挿入されているとともに、摩擦保持されている。また、このコイルスプリング９３内には、バネ支持軸９１が挿入されていて、このコイルスプリング９３の他端部は、バネ支持軸９１の端壁８６ｃ側の端部に締まり嵌めにより保持されている。
【００９４】
さらに、ホルダ本体８６の筒部８６ａには、図２８（ａ），（ｂ）に示したように、下端に開放したスリット状に延びる切欠ガイド８６ｄ，８６ｄが、１８０°間隔で形成されている。また、外筒８８には、図２７（ｂ），２８（ｃ）に示したように、上端に開放したスリット状の切欠ガイド８８ｂが形成されている。
【００９５】
この切欠ガイド８６ｄ，８８ｂは、図２７，２８（ｄ）に示したように、互いに一致させられている。そして、この切欠ガイド８６ｄ，８８ｂには、スライド筒体９２の外周面に、図２６，２７（ａ）に示したように取り付けられたガイド軸９４が挿通されている。また、図３０に示したように、スライド筒体９２の端壁９２ａには、位置決ピン９５が突設されている。なお、外筒８８の外端部には、テーパ凹部８８ｃが形成されている。
【００９６】
また、図３０，３６に示したように、ホルダ本体８６のフランジ８６ｂには、フック支持軸９６が螺着固定されているとともに、バネ受けネジ９７がフック支持軸９６に隣接して螺着されている。９６ａはフック支持軸９６のフランジである。
【００９７】
このフック支持軸９６は、図３６に示すように、板状の係止フック９８の軸挿通孔９８ａに遊びを有する状態で挿通されて、係止フック９８をフランジ８６ｂに支持している。この係止フック９８の一側部には、バネ係止突起９８ｂが形成され、このバネ係止突起９８にはスリット９８ｃが形成されている。
【００９８】
そして、フック支持軸９６の外周に嵌合されたコイルバネ９９の両端部が、バネ受けネジ９７とスリット９８ｃ内に係止されている。このコイルバネ９９は、係止フック９８を、図３０の反時計回り方向に回動付勢しているとともに、フランジ８６ｂ，９６ａ間に介装されて、係止フック９８をフランジ８６ｂに軽い力で押し付けている。
【００９９】
この係止フック９８には、図３０〜３２に示したように、係止切欠９８ｄが形成されているとともに、係止切欠９８ｄの回動付勢方向とは反対側の縁部に位置させて、傾斜ガイド片９８ｅが形成されている。そして、係止切欠９８ｄ内には、スライド筒体９２の外周面に取り付けたガイド軸９４の先端の小径軸部９４ａが挿入されている。
【０１００】
図１に示したレンズ吸着治具１２０は、図２６に示したように、取付軸部１２１と、この取付軸部１２１に一体に設けられたゴムや軟質の合成樹脂等の弾性部材とからなるカップ部１２２とを有する。そして、取付軸部１２１には、端面および周面に開放する位置決溝１２３が形成されている。この取付軸部１２１が外筒８８内に嵌着されるようになっている。
＜制御回路＞
上述した液晶表示器１１（表示手段）は、図７に示した演算制御回路１３０（表示制御手段、画像処理手段）により作動制御されるようになっている。
【０１０１】
また、この演算制御回路１３０は、パルスモータ（Ｘ駆動モータ）４１、パルスモータ（Ｙ駆動モータ）４５、取付角設定モータ６１、光源１０３、駆動モータ１０７、および光源３０７を作動制御するようになっている。
【０１０２】
さらに、操作パネル１１０からのスイッチ操作信号およびＣＣＤ１１５，２０５，３１３からの画像信号（測定信号）は、演算制御回路１３０に入力されるようになっている。
【０１０３】
そして、演算制御回路１３０は、ＣＣＤ１１５，２０５，３１３から入力される画像信号（測定信号）を基に、画像処理手段としての画像処理回路１３１を作動制御して、図３８（ａ）に示した単焦点レンズＭＬについて検出された像に対して画像処理を施し、単焦点レンズＭＬのレンズ表面に印刷表示された印点４１０を検出して、レンズ吸着治具１２０を取り付けるレンズＭＬにおける位置（アイポイント位置）Ｐを求める処理や、図３９に示したバイフォーカルレンズＭＬについて検出された像に対して画像処理を施し、バイフォーカルレンズＭＬが有する小玉４２０の輪郭４２１を検出して、アイポイント位置Ｐを求める処理や、図４０に示した累進多焦点レンズＭＬについて検出された像に対して画像処理を施し、累進多焦点レンズＭＬに刻設された隠しマーク４４１，４４２を検出して、アイポイント位置Ｐを求める処理等を行う。
【０１０４】
そして、演算制御回路１３０は、このようにして求めたアイポイント位置Ｐの位置の座標をメモリ１３２に記憶させる。
【０１０５】
ここで、演算制御回路１３０が行うこのようなアイポイント位置Ｐを求める処理は、予め設定された処理手順にしたがって自動的に行われ、さらに、求められたアイポイント位置Ｐがレンズ吸着治具１２０の装着位置となるように、レンズＭＬが自動的に移動されるようになっている。
【０１０６】
ところで、特に累進多焦点レンズＭＬを、レンズ吸着治具１２０の吸着対象とした場合、アイポイント位置を探索する基準となる隠しマーク４４１，４４２は、上述した自動処理によって検出することができない場合もあり、隠しマーク４４１，４４２のうちいずれか１つしか検出することができなかった場合や、２つとも検出することができなかった場合は、アイポイント位置を検出することができず、レンズＭＬの移動も自動的に行うことができない。
【０１０７】
そこで、本実施形態のレンズ吸着治具装着装置１の演算制御回路１３０は、手動でレンズＭＬの位置決めを行うための処理が備えられている。
【０１０８】
すなわち、表示制御手段としての演算制御回路１３０は、表示手段である液晶表示器１１に、図４１に示すように、レンズＭＬに形成された２つの隠しマーク４４１，４４２間の間隔（例えば、３４ｍｍに規定されている。）と同一間隔（＝３４ｍｍ）を以て縦方向に延びた２本の縦線分５０１，５０２と、両縦線分５０１，５０２に直交して横方向に延びた横線分５０３と、横線分５０３に直交し、かつ横線分５０３のうち２本の縦線分５０１，５０２で両端を区切られた部分の中点を通る中央縦線分５０４と、２本の縦線分５０１，５０２に各別に直交し、かつ等間隔（例えば、２ｍｍ間隔）で各縦線分５０１，５０２に配置された３本ずつの補助横線分５０５，５０６，５０７，５０８，５０９，５１０とが一体化した位置決めカーソル５００を、図４２に示すように、レンズＭＬの像ＭＬ′に重畳して表示させるように制御する。
【０１０９】
そして、上述した隠しマークの自動検出処理（図４３のフローチャートに示す処理）によって、隠しマーク４４１，４４２のうち一方（例えば、隠しマーク４４１）のみが検出され、他方（例えば、隠しマーク４４２）が検出されなかった場合には、液晶表示器１１の表示面上で、操作者が肉眼で、表示されたカーソル５００と、検出された隠しマーク４４１および印刷表示の水平線４５０とを、位置合わせするように、レンズＭＬまたはカーソル５００を移動させることにより、可動アーム８０がレンズ吸着治具１２０を装着させる位置に、レンズＭＬのアイポイント位置を適切にセットすることができる。
【０１１０】
一方、上述した隠しマークの自動検出処理によって、いずれの隠しマーク４４１，４４２も検出されなかったときは、液晶表示器１１の表示面上で、操作者が肉眼で、いずれかの隠しマーク４４１または４４２を探索し、表示されたカーソル５００と、探索して得られた隠しマーク４４１または４４２および印刷表示の水平線４５０とを、位置合わせするように、レンズＭＬまたはカーソル５００を移動させることにより、可動アーム８０がレンズ吸着治具１２０を装着させる位置に、レンズＭＬのアイポイント位置を適切にセットすることができる。
[作用]
次に、本実施形態のレンズ吸着治具装着装置１の作用を説明する。
（１）レンズ吸着治具１２０のレンズ吸着機構６８への取り付け
図１は、眼鏡レンズの隠しマークの検出や眼鏡レンズの屈折測定の前の状態を示している。
【０１１１】
この状態では、図２２に示したようにレンズ吸着機構６８のガイドローラ７４が、カム筒７１に設けたカムスリット７３の上縦スリット部７３ａの上端部内に位置していて、雌ねじ筒７２が最も上昇した位置にある。
【０１１２】
この位置では、雌ねじ筒７２の下端部に取り付けられた可動アーム８０が、図１０，２１に示したように、最も上昇した位置に位置させられて、可動ブラケット８２のローラ８４が、図２１に示したように、固定アーム７０の水平板部７０ａに当接させられて、可動ブラケット８０が、図２５に示した捩りコイルバネ８３のバネ力に抗して、図１７に示したように下方に向けられた状態となる。
【０１１３】
この状態では、可動ブラケット８０が、図１に示したように、吸着盤取付用開口２２に臨ませられた状態となっている。したがって、操作者は、吸着盤取付用開口２２から、レンズ吸着治具１２０の取付軸部１２１を、図２６，２７に示したように可動ブラケット８０に設けられた外筒８８内に挿入する。この際、取付軸部１２１に設けられた位置決め溝１２３に位置決めピン９５を挿入する。
【０１１４】
この取付軸部１２１の押込みに際して、スライド筒体９２が、取付軸部１２１により、コイルスプリング９３のバネ力に抗してホルダ本体８６の端壁８６ｃ側に移動させられる。
【０１１５】
この後、レンズ吸着治具１２０の取付軸部１２１をさらに、線状バネ８９の直線部８９ｂを乗り越えるように、外筒８８内に押し込むと、取付軸部１２１が、線状バネ８９の直線部８９ｂを、線状バネ８９の折曲部８９ａのバネ力に抗して外筒８８のスリット８８ａ内に押し込む状態となる。
【０１１６】
この状態では、直線部８９ｂが折曲部８９ａのバネ力により、図２９に示すように、取付軸部１２１の外周面に圧接された状態となって、取付軸部１２１を外筒８８内に保持した状態となるので、外筒８８が下方を向いてもレンズ吸着治具１２０が下方に落下することはない。
【０１１７】
この状態では、ガイド軸９４の小径軸部９４ａが、係止フック９８の係止切欠９８ｄ内に位置させられている。
（２）眼鏡レンズのレンズホルダ４６への保持
（レンズホルダ４６の外ケース３外への露出およびレンズ載置）
次に、操作パネル１０のファンクションキーＦ１の操作により、図４の自動判別を選択して、図２の『左』スイッチ１８Ｌまたは『右』スイッチ１８Ｒのうちいずれかを選択すると、パルスモータ４５が、演算制御回路１３０により作動制御されて、前後送りネジ４４が正転させられ、ナット部材４３および前後移動部材３７がリッド２６側に移動させられる。
【０１１８】
この移動に伴い、前後移動部材３７を覆うステージカバーＳＣは、リッド２６に当接した後、このリッド２６を撚りコイルバネ３０のバネ力に抗して、支持軸２９を中心に、図１５の時計回り方向に回動させて開き、開口２５，２１から外ケース３外に出て、前後移動部材３７に装着したレンズホルダ４６を露出させる。
【０１１９】
この際、レンズホルダ４６の係合突起５３ａが、アーム３１の係止爪部３１ｄに係合させられて、図１８（ａ）の係合突起５３ａと一体のアーム５３が、コイルスプリング５６のバネ力に抗して、小ギヤ５０と一体的に、時計回り方向に回動させられ、係合突起５３ａと一体のアーム５３のレンズ保持軸５４が、図１４のカバーリング５７の切欠６０側に移動する。
【０１２０】
これに伴い、図１８（ａ）のタイミングベルト５１が、時計回り方向に回転させられて、タイミングベルト５２により、残りの他の２つの小ギヤ５０も時計回り方向に回動させられて、この残りの２つの小ギヤ５０と一体のアーム５３が、コイルスプリング５６のバネ力に抗して、時計回り方向に回動させられ、この残りの２つの小ギヤ５０とアーム５３のレンズ保持軸５４とが、図１４のカバーリング５７の切欠６０側に移動する。
【０１２１】
このようにして、３つのレンズ保持軸５４が、カバーリング５７側に移動させられて開いた状態で、図１８（ｂ）に示したように、レンズホルダ４６の軸状レンズ受４９上に、眼鏡レンズＭＬを載置する。
（レンズホルダ４６の外ケース３内への移動およびレンズ保持）
この後、演算制御回路１３０は、パルスモータ４５を作動制御して、前後送りネジ４４を逆転させ、ナット部材４３および前後移動部材３７を、外ケース３内に移動させる。
【０１２２】
これに伴い、前後移動部材３７を覆うステージカバーＳＣが、リッド２６から離れると、このリッド２６が、撚りコイルバネ３０のバネ力により、支持軸２９を中心として、図１５の反時計回り方向に回動さられて閉じ、開口２５，２１がリッド２６により閉成させられる。
【０１２３】
この際、レンズホルダ４６の係合突起５３ａが、アーム３１の係止爪部３１ｄから離れると、図１８（ａ）中、係合突起５３ａと一体のアーム５３が、コイルスプリング５６のバネ力により、小ギヤ５０と一体に、反時計回り方向に回動させられ、係合突起５３ａと一体のアーム５３のレンズ保持軸５４が、図１４のカバーリング５７の中央側に移動する。
【０１２４】
これに伴い、図１８（ａ）のタイミングベルト５１が、反時計回り方向に回転させられて、タイミングベルト５２により、残りの他の２つの小ギヤ５０も反時計回り方向に回動させられて、この２つの小ギヤ５０と一体のアーム５３が、コイルスプリング５６のバネ力により、反時計回り方向に回動させられ、この残りの２つの小ギヤ５０と一体のアーム５３のレンズ保持軸５４が、図１４のカバーリング５７の中心側に移動する。
【０１２５】
このようにして３つのレンズ保持軸５４が、カバーリング５７の中心側に移動させられて、レンズホルダ４６の軸状レンズ受４９上に載置された眼鏡レンズＭＬの周面に当接して、眼鏡レンズＭＬを図３４に示すように、３つのレンズ保持軸５４で挟持（保持）する。
（３）眼鏡レンズＭＬの有無の確認
このようにして演算制御回路１３０は、眼鏡レンズＭＬが３つのレンズ保持軸５４で挟持（保持）された状態で、レンズホルダ４６を、回転反射板１０６と、全体検出光学系１００および隠しマーク検出光学系２００の照明光学系１０１との間に移動させると、パルスモータ４５の作動を停止させる。
【０１２６】
この後、演算制御回路１３０は、光源１０３を点灯させて、光源１０３から赤外光を出射させる一方、駆動モータ３４を駆動制御して回転反射板１０６を回転させる。
【０１２７】
この光源３からの赤外光は、ピンホール板１０４およびハーフミラー１１２,２０２を透過してコリメータレンズ１０５に入射し、コリメータレンズ１０５により平行光束とされた後、被検レンズである眼鏡レンズＭＬに照射される。
【０１２８】
この照射により、眼鏡レンズＭＬを透過した赤外光は、回転反射板１０６により反射させられて反射光となる。そして、反射光の一部は、眼鏡レンズＭＬおよびハーフミラー２０２を透過した後、ハーフミラー１１２で反射させられて、絞り板１１３および結像レンズ１１４を介して、ＣＣＤ１１５に、眼鏡レンズＭＬの像や軸状レンズ受４９の像を結像させる。
【０１２９】
眼鏡レンズＭＬに隠しマークやペイントマークがある場合には、これらの像もＣＣＤ１１５上に結像される。ＣＣＤ１１５からの画像信号は、演算制御回路１３０に入力される。
【０１３０】
そして、演算制御回路１３０は、ＣＣＤ１１５からの画像信号を受けると、液晶表示器１１に、レンズＭＬの像を表示させる。
【０１３１】
この後、演算制御回路１３０は、レンズＭＬが、レンズホルダ４６に実際に保持されているか否か（レンズＭＬの存否）の判定処理を行い、存在しているとの判定結果のときは、その存在しているレンズＭＬが、印点有りの単焦点レンズであるか、印点無しの単焦点レンズであるか、バイフォーカルレンズであるか、累進多焦点レンズであるか、というレンズＭＬの種別判定処理を行う。
【０１３２】
そして、判定して得られたレンズＭＬの種別に応じて、アイポイント位置の検出処理およびレンズ吸着治具１２０の装着処理が、自動的に行われる。
【０１３３】
なお、レンズＭＬの種別が印点無しの単焦点レンズの場合には、ＣＬ測定装置３００による測定が行われて、アイポイント位置の検出処理およびレンズ吸着治具１２０の装着処理が、自動的に行われる。
【０１３４】
以下、特に、累進多焦点レンズＭＬにおけるアイポイント位置の自動検出処理について説明する。
（４）累進多焦点レンズＭＬの像における隠しマーク４４１，４４２の像の自動検出処理
隠しマーク４４１，４４２の自動検出およびレンズ吸着治具１２０の装着（吸着）の自動処理は、図４３のフローチャートに示す処理手順によって行われる。
【０１３５】
すなわち、まず、全体画像の取得処理（Ｓ１）を行う。このときは、レンズＭＬの全体を表示する画像を、例えば８bit(０〜２５５)のグレイスケールによる画像データとして取得する（図４４（ａ））。
【０１３６】
次に、第１次閾値処理（Ｓ２）を施す。ステップ１（Ｓ１）で取得した画像データに対して、設定した輝度閾値以下となる画素の輝度値を０に変換する（図４４（ｂ））。
【０１３７】
次いで、第２次閾値処理（Ｓ３）および２値化処理（Ｓ４）を施す。ステップ２（Ｓ２）で作成した画像に対して、平滑化処理を施し、中間画像を作成する。そして、得られた中間画像とステップ２（Ｓ２）で作成した画像とで、対応する画素ごとに差分を算出し、設定された閾値以上の画素を、輝度値２５５に変換処理し、閾値以下の画素を、輝度値０に変換処理することにより、２値化画像を作成する（図４４（ｃ））。
【０１３８】
なお、平滑化処理としては、例えば、注目画素の近傍８画素の輝度値の平均値を、当該注目画素の新たな輝度値として置き換える処理などを適用することができる。
【０１３９】
次いで、ノイズ除去処理（Ｓ５）を施す。ここでは、膨張処理と収縮処理とを１回ずつ行い、画素の連結性を高め、その後、２値化された画像の微小なノイズを消去するために、画像全体に亘って、輝度値２５５の画素の連結数が５pixel以下のものを全て消去する。
【０１４０】
なお、膨張処理としては、例えば、注目画素の近傍８画素に輝度値２５５の画素が１つでもあれば、当該注目画素の輝度値を２５５に置換する処理等、収縮処理としては、例えば、注目画素の近傍８画素に輝度値０の画素が１つでもあれば、当該注目画素の輝度値を０に置換する処理等を、それぞれ適用することができる。
【０１４１】
次いで、レンズＭＬの仮の幾何中心の決定処理（Ｓ６）を行う。レンズＭＬの外形輪郭上の左下、右下および上の３点を選び、その３点を通る円の中心を求め、この中心の位置をレンズＭＬの仮の中心位置とする。これは、次の探索領域を決定するためのものであるため、厳密である必要はない。
【０１４２】
次いで、ライン抽出領域の決定処理（Ｓ７）を行う。レンズＭＬの仮中心位置の周囲の領域（３００×６０pixel）を、水平線４５０の抽出処理領域として設定する（図４４（ｄ））。
【０１４３】
次に、水平ペイント抽出(傾き計算)処理（Ｓ８）を施す。ステップ（Ｓ７）で指定した領域内で、輝度値２５５の画素の数が最も多い直線を求めるハフ変換処理を施して、得られた直線を水平線４５０とする（図４５（ａ））。ただし、抽出した直線であっても、輝度値２５５の画素の数が３０pixel以下の場合は、検出しようとする水平線４５０ではないものとする。なお、ハフ変換処理は、水平線４５０の傾きも求める。
【０１４４】
次に、拡大画像の取得処理（Ｓ９）を行う。ステップ８（Ｓ８）で取得された傾きに基づいて、レンズＭＬの回転を行う。そして、隠しマーク４４１，４４２を、液晶表示器１１の表示面上で目視できるように、２倍拡大の画像を取得する（図４５（ｂ））。
【０１４５】
次いで、隠しマーク抽出領域の設定処理（Ｓ１０）を施す。ステップ６（Ｓ６）において取得されたレンズＭＬの仮幾何中心位置から、水平方向１７ｍｍ（１７pixel）の地点付近に、隠しマーク４４１，４４２が存在すると推定し、これらの地点を中心とした縦６０pixel×横１００pixelからなる矩形領域を、隠しマーク４４１，４４２の探索処理の領域として設定する（図４５（ｃ））。
【０１４６】
次に、２値化処理（Ｓ１１）を施す。ステップ１０（Ｓ１０）により設定した領域に、高速版Ｃａｎｎｙオペレータを施し、エッジの抽出処理を行う。これにより、輝度値が急激に変化する箇所について、輝度値が２５５に変換される（図４６（ａ））。
【０１４７】
次いで、ノイズ除去処理（Ｓ１２）を施す。ステップ１２（Ｓ１２）により作成された２値化画像から、（ｉ）領域の外周に接している水平線４５０などのエッジを取り除き、（ii）ラベリングを行い、連結画素数が小さいエッジを取り除く（図４６（ｂ））。
【０１４８】
次いで、隠しマーク４４１，４４２の探索処理（Ｓ１３）を施す。縦３０pixel×横３０pixelの枠を生成し、この枠内領域で最もエッジ量が多い場所を探す。
【０１４９】
次に、隠しマーク４４１，４４２または水平線４５０の判定処理（Ｓ１４）を行い、隠しマーク４４１，４４２が存在する位置における何らかのペイント記号の有無を判定する。ステップ１３（Ｓ１３）の探索処理によって得られた隠しマーク４４１，４４２の枠内領域を対象として、レンズＭＬの最初の全体画像（Ｓ１）を、低い閾値（例えば、輝度値１００程度）によって２値化処理する（図４７（ａ））。
【０１５０】
そして、この２値化処理後の画像において、何らかの模様が検出された場合には、ペイント記号が存在するものと判定し（図４７（ｂ））、このペイント記号を用いた処理に移行する。
【０１５１】
次いで、隠しマーク４４１，４４２の中心検出処理（Ｓ１５）を施す。ステップ１３（Ｓ１３）で設定された枠内領域のエッジに基づいて、隠しマーク４４１，４４２の重心位置を求める。この重心位置を、隠しマーク４４１，４４２の中心位置とする（図４７（ｃ））。
【０１５２】
次に、角度を求める（Ｓ１６）。ステップ１５（Ｓ１５）により得られた２つの隠しマーク４４１，４４２の中心位置を結んだ線の、水平ラインに対する傾斜角度を求める。
【０１５３】
次に、＋記号の検出処理（Ｓ１７）および吸着位置までの距離の算出処理（Ｓ１８）を行う。ステップ１４（Ｓ１４）で取得された２つの隠しマーク４４１，４４２の中心位置間の中点位置を求め、この中点位置をレンズＭＬの正確な幾何中心位置Ｐｎとする。
【０１５４】
そして、図４０の＋記号４５０ａのテンプレート（図４７（ｄ））を作成し、幾何中心位置Ｐｎから水平線４５０の垂直方向上側０ｍｍ，２ｍｍ，４ｍｍの部分でマッチングを行い、相関を分析する。そして、最も相関値が高い部分が、＋記号４５０ａの存在位置とされる。また、相関値が所定値以下であった場合は、＋記号は存在しないものとされる。
【０１５５】
最も相関値が高い部分が幾何中心位置Ｐｎから水平線４５０の垂直方向上側０ｍｍの部分、あるいは２ｍｍの部分、あるいは４ｍｍの部分で明確になった場合で、液晶表示器１１の数値表示エリアＥ２の『ＥＰ』（Ｅｙｅ  Ｐｏｉｎｔ）に対応する表示枠に図４Ａのごとく『Ａｕｔｏ』と入力されているときには、明確になった部分の位置が瞳位置として特定され（アライメント後）、『０．０』あるいは『＋２．０』あるいは『＋４．０』と表示される。
【０１５６】
また、図４Ｂに示すように、液晶表示器１１の数値表示エリアＥ２の『ＥＰ』（Ｅｙｅ  Ｐｏｉｎｔ）に対応する表示枠内に例えば『＋４．０』と入力されているときには、指定した、水平線４５０からのＥＰ高さ位置に瞳位置を特定する（自動アライメントする）。
【０１５７】
次に、レンズの移動処理（Ｓ１９）を行う。ステップ１６（Ｓ１６）で取得された角度および中心位置に基づいて、レンズＭＬを移動、回転させる。
【０１５８】
そして、近用部４３２の位置検出処理（Ｓ２０）および左右判定処理（Ｓ２１）を行う（図４８）。レンズＭＬの幾何中心位置より下側部分に、左右対称な領域を設定し、これら左右の領域内について、濃度値が所定値以上の画素の数を計数し、この計数された値に応じて、レンズＭＬが左眼用であるか右眼用であるかを判定処理する。
【０１５９】
以上の処理後に、レンズ吸着治具１２０を吸着処理する（Ｓ２２）。
（５）眼鏡レンズＭＬへのレンズ吸着治具１２０の取付け
上述のようにして演算制御回路１３０は、眼鏡レンズＭＬの有無および眼鏡レンズＭＬの種類等若しくは隠しマーク４４１等を検出した後、取付角設定モータ６１を作動制御して、隠しマーク４４１等が液晶表示器１１に表示させた位置決めカーソル５００（図４１）の所定部分に一致するように、レンズホルダ４６のリング状ギヤ４７を回動させることにより、レンズホルダ４６を回動させて、レンズホルダ４６に保持させた眼鏡レンズＭＬを光軸Ｏ２回りに回動させる。
【０１６０】
あるいは、演算制御回路１３０は、眼鏡レンズＭＬの屈折特性が、ＣＬ測定装置３００で測定した後、眼鏡レンズＭＬを、回転反射板１０６と全体検出光学系１００および隠しマーク検出光学系２００の照明光学系１０１との間に移動させると、円柱軸等がある場合に、取付角設定モータ６１を作動制御して、レンズホルダ４６のリング状ギヤ４７を回動させることにより、レンズホルダ４６を回動させて、レンズホルダ４６に保持させた眼鏡レンズＭＬを光軸回りに回動させる。
【０１６１】
この後、演算制御回路１３０は、駆動モータ７７を作動制御して、駆動モータ７７の回転を、プーリ７８、タイミングベルト７９およびプーリ７６を介して、雄ねじ軸７５に伝達し、雄ねじ軸７５を回転させて、雌ねじ筒７２を下方に移動させる。
【０１６２】
これに伴い、雌ねじ筒７２と一体の可動アーム８０が降下させられ、可動アーム８０の先端部のローラ８４が、固定アーム７０の水平板部７０ａから離れ、可動ブラケット８０が、図２５に示した捩りコイルバネ８３のバネ力により、可動アーム８０の下面側に回動させられる。
【０１６３】
そして、最終的には図２３に示したように、可動アーム８０の下面に密接するように沿う状態となって、レンズ吸着治具１２０が下方を向いた状態となる。
【０１６４】
一方、この動作に伴い、雌ねじ筒７２に取り付けられたガイドローラ７４が、上縦スリット部７３ａから螺旋状スリット部７３ｂを介して下縦スリット部７３ｃに移動して、雌ねじ筒７２と一体に、可動アーム８０が９０°だけレンズホルダ４６側に回動させられて、レンズ吸着治具１２０が眼鏡レンズＭＬの上方に移動させられる。
【０１６５】
この後、さらに雌ねじ筒７２および可動アーム８０が降下させられ、可動アーム８０の先端部のレンズ吸着治具１２０の吸着カップ１２２が、図３４，３５に示すように、軸状レンズ受４９上の眼鏡レンズＭＬに当接させられる。
【０１６６】
そして、演算制御回路１３０は、駆動モータ７７を作動制御して、さらに雌ねじ筒７２および可動アーム８０を僅かに降下させて、レンズ吸着治具１２０の取付軸部１２１を外筒８８内にさらに押し込んで、スライド筒体９２を、コイルスプリング９３のバネ力に抗して、さらにホルダ本体８６の端壁８６ｃ側に僅かに移動させ、レンズ吸着治具１２０を眼鏡レンズＭＬに吸着させる。
【０１６７】
これに伴い、係止フック９８がコイルバネ９９のバネ力により、図３０の反時計回り方向に回動して、傾斜ガイド片９８ｅが、図３７（ｄ）のように、ガイド軸９４の小径軸部９４ａ上に移動する。これにより、係止フック９８が図３７（ｂ）のように傾斜し、傾斜ガイド片９８ｅが幅方向にも傾斜する。
【０１６８】
この後、演算制御回路８０は、駆動モータ７７を逆転させて、雌ねじ筒７２と一体の可動アーム８０を上昇させる。
【０１６９】
これに伴い、スライド筒体９２が、コイルスプリング９３のバネ力によりレンズ取付軸１２１側に移動するととともに、スライド筒体９２に取り付けられたガイド軸９４の小径軸部９４ａが、スライド筒体９２と一体に傾斜ガイド片９８ｅに沿って係止フック９８の先端側に移動させられる。
【０１７０】
この際、小径軸部９４ａは、図３７（ｄ）に示したように、コイルバネ９９による係止フック９８の回動付勢方向等は、逆方向に向かう回動力Ｆを傾斜ガイド片９８ｅに作用させる。これにより、係止フック９８は、図３０のコイルバネ９９のバネ力に抗して、時計回り方向に僅かに回動させられ、ガイド軸９４の小径軸部９４ａが、係止フック９８の係合切欠９８ｄ内に移動させられる。
【０１７１】
一方、スライド筒体９２が、コイルスプリング９３のバネ力により、レンズ取付軸部１２１側に移動すると、取付軸部１２１がコイルスプリング９３のバネ力によりスライド筒体９２を介して押圧され、外筒８８のテーパ凹部８８ｃ側に移動させられ、取付軸部１２１が線状バネ８９の直線部８９ｂから離れる。この状態では、取付軸部１２１が外筒８８から容易に抜け外れる状態となっている。
【０１７２】
そして、演算制御回路８０は、雌ねじ筒７２および可動アーム８０をさらに上昇させると、雌ねじ筒７２に取り付けたローラ７４が、下縦スリット部７３ｃ内を上昇させられ、レンズ吸着治具１２０が可動アーム８０の先端の外筒８８から抜け外れて、眼鏡レンズＭＬに吸着した状態で残される。
【０１７３】
この後、雌ねじ筒７２に取り付けたローラ７４は、下縦スリット部７３ｃから螺旋状スリット部７３ｂを介して上縦スリット部７３ａに移動させられ、可動アーム８０が９０°だけ側板５側に回動させられて、可動アーム８０が眼鏡レンズＭＬの上方から退避させられる。
【０１７４】
そして、可動アーム８０が上昇させられるとともに、ローラ７４が上縦スリット部７３ａ内を上昇させられると、可動ブラケット８２のローラ８４が、図２１に示したように、固定アーム７０の水平板部７０ａに当接させられて、可動ブラケット８０が、図２５に示した捩りコイルバネ８３のバネ力に抗して、図２１に示したように、下方に向けられた状態となる。これにより、可動ブラケット８０が、図１に示したように、吸着盤取付用開口２２に臨ませられて、新たなレンズ吸着治具１２０を取付け可能な状態となる。
【０１７５】
次に、累進多焦点レンズＭＬにおける隠しマーク４４１，４４２の自動検出処理によって、２つの隠しマーク４４１，４４２のうち一方のみを、または両方を検出することができなかった場合の処理について説明する。
（６）累進多焦点レンズＭＬの像における隠しマーク４４１，４４２の像に基づく手動のレンズ位置決め処理
まず、手動位置合わせの際には、表示制御手段である演算制御回路１３０が、液晶表示器１１の表示面上に、図４２に示すように、位置決めカーソル５００と、レンズＭＬの像とを重畳表示させる。
【０１７６】
ここで、（４）で説明した隠しマーク４４１，４４２の自動検出処理によって、いずれか一方の隠しマーク４４１または４４２が検出されているときは、この自動検出された隠しマーク４４１または４４２の像も表示される。このとき、自動検出された隠しマーク４４１または４４２については、強調処理等を施して、表示面上での視認性を高めるようにしてもよい。
【０１７７】
また、レンズＭＬの表面に印刷表示され、自動検出処理によって検出された水平線４５０も、表示面上に表示される。
【０１７８】
ここで、例えば初期的な表示状態が、図４９（ａ）に示すような位置関係にあるときは、操作者が、液晶表示器１１の表示面上を観察して、カーソル５００の縦線分５０１（または５０２）と横線分５０３との交点に、検出された隠しマーク４４１（または４４２）が一致するように、表示面上に表示された移動アイコン（左移動アイコン１１ａ、右移動アイコン１１ｂ、上移動アイコン１１ｃ、下移動アイコン１１ｄ）を操作し、レンズＭＬの像を平行移動させる。
【０１７９】
そして、隠しマーク４４１（または４４２）と、カーソル５００の縦線分５０１（または５０２）と横線分５０３との交点とが、表示面上で一致した状態で、カーソル５００の横線分５０３と検出された水平線４５０とが重ならず、一方が他方に対して傾斜しているとき（図４９（ｂ））は、操作者は、さらに、回転アイコン（反時計回りアイコン１１ｅ、時計回りアイコン１１ｆ）を操作して、レンズＭＬの像を回転させ、カーソル５００の横線分５０３と水平線４５０とを重ね合わせる（図４９（ｃ））。
【０１８０】
このとき、中央縦線分５０４と横線分５０３との交点の位置が、レンズ吸着治具１２０の装着位置であるアイポイント位置となり、上述したアイコン操作によるレンズＭＬの像の平行移動量および回転角度が演算制御回路１３０に記憶され、この記憶された平行移動量および回転角度だけレンズＭＬが移動するように、演算制御回路１３０が取付角設定モータ６１等を作動制御する。
【０１８１】
これにより、可動アーム８０がレンズ吸着治具１２０を装着させる位置に、レンズＭＬのアイポイント位置を適切にセットすることができ、この後、アイポイント位置にレンズ吸着治具１２０を装着すればよい。
【０１８２】
なお、上述した累進多焦点レンズＭＬは、水平線４５０上にアイポイントが存在するものとして説明したが、アイポイント位置は、必ずしもこのレンズＭＬの水平線４５０上に存在するものだけではなく、水平線４５０の上方（遠用部４３１）側２ｍｍの位置や、４ｍｍの位置または６ｍｍの位置に設定されているものもある。
【０１８３】
そこで、このようにアイポイント位置が水平線４５０からずれた位置に存在するレンズＭＬに対しては、隠しマーク４４１（または４４２）と一致させるカーソル５００の部分を、このような水平線４５０からの既知のずれ量（２ｍｍ、４ｍｍまたは６ｍｍ）に応じて、縦線分５０１（または５０２）と補助横線分５０５（または５０８）との交点（ずれ量が２ｍｍの場合）、縦線分５０１（または５０２）と補助横線分５０６（または５０９）との交点（ずれ量が４ｍｍの場合）、または縦線分５０１（または５０２）と補助横線分５０７（または５１０）との交点（ずれ量６２ｍｍの場合）に、それぞれ変更すればよい。
【０１８４】
なお、（４）で説明した隠しマーク４４１，４４２の自動検出処理によって、２つの隠しマーク４４１および４４２がいずれも検出されなかった場合であっても、隠しマーク４４１および４４２の像が肉眼でも全く視認できないようなものは良品とはいえず、本質的に本実施形態のレンズ吸着治具装着装置１による対象レンズＭＬとはなり得ないため、肉眼で視認することは全く不可能ではない。
【０１８５】
そこで、操作者は、表示面上で視認可能の水平線４５０の延長線上に存在すべき隠しマーク４４１または４４２の像を肉眼で探索する。
【０１８６】
そして、前述したように、いずれかの隠しマーク４４１または４４２を視認できたときは、上述した図４９により説明した操作処理と同様の操作処理を適用することができる。
【０１８７】
なお、両方の隠しマーク４４１，４４２ともに視認できる場合には、両隠しマーク４４１，４４２が、それぞれ対応する縦線分５０１，５０２に重なり合うように、移動アイコン（左移動アイコン１１ａ、右移動アイコン１１ｂ、上移動アイコン１１ｃ、下移動アイコン１１ｄ）や、回転アイコン（反時計回りアイコン１１ｅ、時計回りアイコン１１ｆ）を操作して、レンズＭＬの像を回転させればよい。
【０１８８】
そして、このような位置決め操作によっても、可動アーム８０がレンズ吸着治具１２０を装着させる位置に、レンズＭＬのアイポイント位置を適切にセットすることができ、この後、アイポイント位置にレンズ吸着治具１２０を装着すればよい。
【０１８９】
なお、表示面上におけるレンズＭＬの像を移動、回転させるのに代えて、位置決めカーソル５００を移動、回転させるようにしてもよい。
【０１９０】
以上、詳細に説明したように、本実施形態に係るレンズ吸着治具装着装置１およびこの装置１を用いたレンズの位置決め方法によれば、画像処理によって自動的に全ての隠しマーク４４１，４４２を検出することができない場合であっても、眼鏡レンズＭＬを適切に位置決めすることができる。
【０１９１】
以上説明したように、この発明の実施の形態のレンズの位置決め方法では、表面に所定の間隔を以て刻設または突設された複数個の指標（隠しマーク４４１，４４２）が形成された眼鏡レンズＭＬを保持する位置調整可能の載置台（レンズホルダ４６）と、前記載置台（レンズホルダ４６）を前記位置調整可能の範囲で変位させる位置調整手段（レンズ保持手段移動機構３２）と、前記載置台（レンズホルダ４６）により保持された前記眼鏡レンズＭＬを撮像する撮像手段（ＣＣＤ１１５，２０５）と、前記撮像手段（ＣＣＤ１１５，２０５）によって撮像された前記眼鏡レンズＭＬの像に基づいて、前記指標を検出するための画像処理をする画像処理手段（画像処理回路１３１）と、画像を表示する表示手段（液晶表示器１１）と、前記撮像手段によって撮像された前記眼鏡レンズの像および前記画像処理して得られた前記指標の像を前記表示手段（液晶表示器１１）に表示させるように制御する表示制御手段（演算制御回路１３０）と、前記眼鏡レンズＭＬの所定部位にレンズ吸着治具１２０を装着する治具装着手段（レンズ吸着機構６８）とを用いている。しかも、このレンズの位置決め方法では、前記画像処理して得られた前記指標（４４１，４４２）を結ぶ直線（水平線４５０）から所定間隔の縦方向の位置（＋記号４５０ａ）を特定し、前記指標を結ぶ直線（水平線４５０）からの間隔を数値表示して、その特定された位置（＋記号４５０ａ）にレンズ吸着治具１２０を装着するようにしている。
【０１９２】
この構成によれば、画像処理によって指標（４４１，４４２）を自動的に検出できた場合であっても、レンズ吸着治具の取付位置を適切に決定することができるとともに、予め取付位置を、指標の像を結ぶ直線（水平線）から所定の大きさ（数値）と入力し、取付位置特定の作業時間を短縮することができる。
【０１９３】
また、この発明の実施の形態の他のレンズの位置決め方法は、表面に所定の間隔を以て刻設または突設された複数個の指標（隠しマーク４４１，４４２）が形成された眼鏡レンズＭＬを保持する位置調整可能の載置台（レンズホルダ４６）と、前記載置台（レンズホルダ４６）を前記位置調整可能の範囲で変位させる位置調整手段（レンズ保持手段移動機構３２）と、前記載置台（レンズホルダ４６）により保持された前記眼鏡レンズＭＬを撮像する撮像手段（ＣＣＤ１１５，２０５）と、前記撮像手段（ＣＣＤ１１５，２０５）によって撮像された前記眼鏡レンズＭＬの像に基づいて、前記指標を検出するための画像処理をする画像処理手段（画像処理回路１３１）と、画像を表示する表示手段（液晶表示器１１）と、前記撮像手段によって撮像された前記眼鏡レンズの像および前記画像処理して得られた前記指標の像を前記表示手段（液晶表示器１１）に表示させるように制御する表示制御手段（演算制御回路１３０）と、前記眼鏡レンズＭＬの所定部位にレンズ吸着治具１２０を装着する治具装着手段（レンズ吸着機構６８）とを用いている。しかも、前記画像処理して得られた前記指標（４４１，４４２）を結ぶ直線（水平線４５０）から所定間隔の縦方向の位置を数値入力し、入力された位置（＋記号４５０ａ）を特定し、その特定された位置（＋記号４５０ａ）にレンズ吸着治具を装着するようにしている。
【０１９４】
この構成に画像処理によって指標（４４１，４４２）を自動的に検出できた場合であっても、レンズ吸着治具の取付位置を適切に決定することができるとともに、予め取付位置を、指標の像を結ぶ直線（水平線）から所定の大きさ（数値）と入力し、取付位置特定の作業時間を短縮することができる。
【０１９５】
更に、この発明の実施の形態のレンズ吸着治具装着装置は、表面に所定の間隔を以て刻設または突設された複数個の指標（４４１，４４２）が形成された眼鏡レンズＭＬを保持する位置調整可能の載置台（レンズホルダ４６）と、前記載置台（レンズホルダ４６）を前記位置調整可能の範囲で変位させる位置調整手段（レンズ保持手段移動機構３２）と、前記載置台（レンズホルダ４６）により保持された前記眼鏡レンズＭＬを撮像する撮像手段（ＣＣＤ１１５，２０５）と、前記撮像手段（ＣＣＤ１１５，２０５）によって撮像された前記眼鏡レンズＭＬの像に基づいて、前記指標（４４１，４４２）を検出するための画像処理をする画像処理手段（画像処理回路１３１）と、画像を表示する表示手段（液晶表示器１１）と、前記撮像手段（ＣＣＤ１１５，２０５）によって撮像された前記眼鏡レンズＭＬの像および前記画像処理して得られた前記指標（４４１，４４２）の像を前記表示手段（液晶表示器１１）に表示させるように制御する表示制御手段（演算制御回路１３０）と、前記眼鏡レンズＭＬの所定部位にレンズ吸着治具１２０を装着する治具装着手段（レンズ吸着機構６８）とを備えている。しかも、前記画像処理して得られた前記指標（４４１，４４２）を結ぶ直線（水平線４５０）から所定間隔の縦方向の位置（＋記号４５０ａ）を特定し、前記指標を結ぶ直線（水平線４５０）からの間隔を数値表示して、その特定された位置（＋記号４５０ａ）にレンズ吸着治具を装着するように制御するようになっている。
【０１９６】
この構成に画像処理によって指標（４４１，４４２）を自動的に検出できた場合であっても、レンズ吸着治具の取付位置を適切に決定することができるとともに、予め取付位置を、指標の像を結ぶ直線（水平線）から所定の大きさ（数値）と入力し、取付位置特定の作業時間を短縮することができる。
【０１９７】
また、この発明の実施の形態のレンズ吸着治具装着装置は、表面に所定の間隔を以て刻設または突設された複数個の指標（４４１，４４２）が形成された眼鏡レンズＭＬを保持する位置調整可能の載置台（レンズホルダ４６）と、前記載置台（レンズホルダ４６）を前記位置調整可能の範囲で変位させる位置調整手段（レンズ保持手段移動機構３２）と、前記載置台（レンズホルダ４６）により保持された前記眼鏡レンズＭＬを撮像する撮像手段（ＣＣＤ１１５，２０５）と、前記撮像手段（ＣＣＤ１１５，２０５）によって撮像された前記眼鏡レンズＭＬの像に基づいて、前記指標（４４１，４４２）を検出するための画像処理をする画像処理手段（画像処理回路１３１）と、画像を表示する表示手段（液晶表示器１１）と、前記撮像手段（ＣＣＤ１１５，２０５）によって撮像された前記眼鏡レンズＭＬの像および前記画像処理して得られた前記指標（４４１，４４２）の像を前記表示手段（液晶表示器１１）に表示させるように制御する表示制御手段（演算制御回路１３０）と、前記眼鏡レンズＭＬの所定部位にレンズ吸着治具１２０を装着する治具装着手段（レンズ吸着機構６８）とを備えている。しかも、前記画像処理して得られた前記指標（４４１，４４２）を結ぶ直線（水平線４５０）から所定間隔の縦方向の位置を数値入力し、入力された位置を特定し、その特定された位置（＋記号４５０ａ）にレンズ吸着治具１２０を装着するように制御する。
【０１９８】
この構成に画像処理によって指標（４４１，４４２）を自動的に検出できた場合であっても、レンズ吸着治具の取付位置を適切に決定することができるとともに、予め取付位置を、指標の像を結ぶ直線（水平線）から所定の大きさ（数値）と入力し、取付位置特定の作業時間を短縮することができる。
【図面の簡単な説明】
【０１９９】
【図１】この発明に係るレンズ吸着治具装着装置の外観を示したものである。
【図２】図１の液晶表示器の説明図である。
【図３】全体観察光学系の他の構成例を示す図である。
【図４】図１の液晶表示器の表示内容の説明図である。
【図４Ａ】図４の液晶表示器の表示内容の他の例を示す説明図である。
【図４Ｂ】図４の液晶表示器の表示内容の他の例を示す説明図である。
【図５】図１の液晶表示器の表示内容の他の例を示す説明図である。
【図６】図１の液晶表示器の表示内容の他の例を示す説明図である。
【図７】図１に示したレンズ吸着治具装着装置の制御回路図である。
【図８】図１のレンズ吸着治具装着装置の外ケースとフレームとの関係を示す分解斜視図である。
【図９】図８のフレームの平面図である。
【図１０】図１に示したレンズ吸着治具装着装置の内部の概略説明図である。
【図１１】図１０の作用説明図である。
【図１２】図１０、図１１のＣＬ測定装置の斜視図である。
【図１３】図１０、図１１のレンズホルダを説明するための斜視図である。
【図１４】図１３の平面図である。
【図１５】図１４のＡ１−Ａ１線に沿う断面図である。
【図１６】図１４のＡ３−Ａ３線に沿う断面図である。
【図１７】図１４のＡ２−Ａ２線に沿う断面図である。
【図１８】（ａ）はレンズホルダの要部説明用の概略斜視図、（ｂ）は（ａ）のレンズホルダの概略断面図である。
【図１９】枠替え用レンズホルダの概略斜視図である。
【図２０】図１９の枠替え用レンズホルダを図１７のレンズホルダのリング状ギヤ内に装着した状態を示す概略斜視図である。
【図２１】図１０に示したレンズ吸着機構の側面図である。
【図２２】図２１に示したレンズ吸着機構の部分概略分解斜視図である。
【図２３】図２１，２２に示したレンズ吸着機構の作用説明図である。
【図２４】図２１，２２に示したレンズ吸着機構の作用説明図である。
【図２５】図２１の可動ブラケットの一部を破断して示した吸着治具保持手段の側面図である。
【図２６】図２１の吸着治具保持手段を中心線に沿って部分的に断面して示した説明図である。
【図２７】（ａ）は図２０の吸着治具保持手段を中心線に沿う断面図、（ｂ）は（ａ）の外筒の平面図、（ｃ）は（ｂ）の外筒の部分斜視図である。
【図２８】（ａ）は図２６のホルダ本体の斜視図、（ｂ）は（ａ）のホルダ本体を筒部側から見た平面図、（ｃ）は図２２の外筒の軸線に沿う断面図、（ｄ）は（ａ）の筒部と（ｃ）の外筒を嵌合したときの断面図である。
【図２９】図２７のレンズ吸着治具の取付軸部をさらに押し込んだ状態の吸着治具保持手段の断面図である。
【図３０】図２７の吸着治具保持手段の係止フックを説明する斜視図である。
【図３１】図３０の係止フックの正面図である。
【図３２】図３１のＢ１−Ｂ１線に沿う断面図である。
【図３３】図３１の平面図である。
【図３４】図２１の吸着治具保持手段によりレンズ吸着治具をレンズホルダ上の眼鏡レンズに装着している状態を示す斜視図である。
【図３５】図３４の吸着治具保持手段とレンズ吸着治具および眼鏡レンズの関係を示す部分断面図である。
【図３６】図３０のＢ２−Ｂ２線に沿う部分断面図である。
【図３７】図３０および図３６の係止フックの作用を説明する説明図である。
【図３８】（ａ）は印点が印刷表示された単焦点レンズ、（ｂ）は印点が付されていない単焦点レンズをそれぞれ示す図である。
【図３９】バイフォーカルレンズを示す図である。
【図４０】累進多焦点レンズを示す図である。
【図４１】位置決めカーソルを示す図である。
【図４２】位置決めカーソルをレンズのに重畳表示させた表示面を示す図である。
【図４３】隠しマークの自動検出処理を示すフローチャートである。
【図４４】図４３のフローチャートに示す処理手順によって得られるレンズ画像を示す図（その１）である。
【図４５】図４３のフローチャートに示す処理手順によって得られるレンズ画像を示す図（その２）である。
【図４６】図４３のフローチャートに示す処理手順によって得られるレンズ画像を示す図（その３）である。
【図４７】図４３のフローチャートに示す処理手順によって得られるレンズ画像を示す図（その４）である。
【図４８】図４３のフローチャートに示す処理手順によって得られるレンズ画像を示す図（その５）である。
【図４９】手動によるレンズの位置決め処理の、処理工程ごとの状態を示す図であり、（ａ）は初期状態、（ｂ）は平行移動後の状態、（ｃ）は回転後の状態である。
【符号の説明】
【０２００】
１１…液晶表示器（表示手段）
３２…レンズ保持手段移動機構（位置調整手段）
４６…レンズホルダ（載置台）
６８…レンズ吸着機構（治具装着手段）
１１５…ＣＣＤ（撮像手段）
１２０…レンズ吸着治具
１３１…画像処理回路（画像処理手段）
１３０…演算制御回路（表示制御手段）
２０５…ＣＣＤ（撮像手段）
４４１，４４２…隠しマーク（指標）
４５０…水平線（直線）
４５０ａ…＋記号４５０ａ（特定された位置）
ＭＬ…眼鏡レンズ
【図１】
2006110692.tif 000003
【図２】
2006110692.tif 000004
【図３】
2006110692.tif 000005
【図４】
2006110692.tif 000006
【図４Ａ】
2006110692.tif 000007
【図４Ｂ】
2006110692.tif 000008
【図５】
2006110692.tif 000009
【図６】
2006110692.tif 000010
【図７】
2006110692.tif 000011
【図８】
2006110692.tif 000012
【図９】
2006110692.tif 000013
【図１０】
2006110692.tif 000014
【図１１】
2006110692.tif 000015
【図１２】
2006110692.tif 000016
【図１３】
2006110692.tif 000017
【図１４】
2006110692.tif 000018
【図１５】
2006110692.tif 000019
【図１６】
2006110692.tif 000020
【図１７】
2006110692.tif 000021
【図１８】
2006110692.tif 000022
【図１９】
2006110692.tif 000023
【図２０】
2006110692.tif 000024
【図２１】
2006110692.tif 000025
【図２２】
2006110692.tif 000026
【図２３】
2006110692.tif 000027
【図２４】
2006110692.tif 000028
【図２５】
2006110692.tif 000029
【図２６】
2006110692.tif 000030
【図２７】
2006110692.tif 000031
【図２８】
2006110692.tif 000032
【図２９】
2006110692.tif 000033
【図３０】
2006110692.tif 000034
【図３１】
2006110692.tif 000035
【図３２】
2006110692.tif 000036
【図３３】
2006110692.tif 000037
【図３４】
2006110692.tif 000038
【図３５】
2006110692.tif 000039
【図３６】
2006110692.tif 000040
【図３７】
2006110692.tif 000041
【図３８】
2006110692.tif 000042
【図３９】
2006110692.tif 000043
【図４０】
2006110692.tif 000044
【図４１】
2006110692.tif 000045
【図４２】
2006110692.tif 000046
【図４３】
2006110692.tif 000047
【図４４】
2006110692.tif 000048
【図４５】
2006110692.tif 000049
【図４６】
2006110692.tif 000050
【図４７】
2006110692.tif 000051
【図４８】
2006110692.tif 000052
【図４９】
2006110692.tif 000053